(57)【要約】【課題】  粘性の高い内容液と、粘性の低い内容液のいずれにも使用可能なオーバーキャップを具えた液注出容器を提供すること。【解決手段】  容器と中栓、オーバーキャップとからなる液注出容器であって、オーバーキャップは、上壁と側周壁とからなり容器に嵌着されるキャップ基体と、該キャップ基体にヒンジを介して取着される開閉蓋とから構成され、前記キャップ基体の上壁上面には、上端に注出筒を立設した円錐筒が連設され、円錐筒と注出筒との接続部に、空気導入管が垂設されていることを特徴とする。【選択図】  図１
2006036327.tif 000002
【特許請求の範囲】
【請求項１】
容器と中栓、オーバーキャップとからなる液注出容器であって、
オーバーキャップは、上壁と側周壁とからなり容器に嵌着されるキャップ基体と、該キャップ基体にヒンジを介して取着される開閉蓋とから構成され、
前記キャップ基体の上壁上面には、上端に注出筒を立設した円錐筒が連設され、円錐筒と注出筒との接続部に、空気導入管が垂設されていることを特徴とする液注出容器。
【請求項２】
キャップ基体の上壁中央に開口が設けられ、該開口の周縁に沿って中栓内周に嵌合する嵌合筒が垂設され、円錐筒が前記開口を被うよう連設されていることを特徴とする請求項１記載の液注出容器。
【発明の詳細な説明】
【技術分野】
【０００１】
本発明は、ソースなどの液体用の容器、特に、粘性の高い内容液と、粘性の低い内容液に使用可能な兼用のオーバーキャップを具えた液注出容器に関するものである。
【背景技術】
【０００２】
ソース等の粘性の高いものを収納する容器として、容器口部にノズル部材を立設し、注出にあたって、容器胴部を押圧することによって内容液をノズルの注出口から注出し、押圧を解いたときに容器胴部が復元し、ノズル部材内の内容液を容器内に吸引して、ノズル部材の注出口から外部に液垂れしないようにした液注出容器は、従来より知られている（特許文献１参照）。
【０００３】
特許文献１記載の容器は、液体調味料などの容器として使用されている。
しかし、粘性の低い液体の場合には、内容液を注出する際に、容器を傾けるだけで注出できるので、細いノズルを設けた場合には、内容液のスムースな注出には、ノズル部材の注出口とは別に空気導入口を設けておく必要があった。
【特許文献１】特開平１１−１３０１２３号公報
【発明の開示】
【発明が解決しようとする課題】
【０００４】
しかしながら、粘性の異なる内容液のためには、各内容液に応じたオーバーキャップを用意し、容器に充填する内容液の粘性に応じて、複数種のオーバーキャップのうちのいずれかを選択して容器に被着する必要があった。
【０００５】
そのため、粘性の異なる内容液を、それぞれ同種の容器に充填した場合には、内容液の種類に応じて、複数種のオーバーキャップを用意しておかなければならないという問題があった。
【０００６】
本発明は、上記の問題を解決することを課題とし、粘性の高い内容液と、粘性の低い内容液のいずれにも使用可能なオーバーキャップを具えた液注出容器を提供することを目的とする。
【課題を解決するための手段】
【０００７】
本発明は、上記の課題を解決するため、液注出容器として、容器と中栓、オーバーキャップとからなる液注出容器であって、オーバーキャップは、上壁と側周壁とからなり容器に嵌着されるキャップ基体と、該キャップ基体にヒンジを介して取着される開閉蓋とから構成され、前記キャップ基体の上壁上面には、上端に注出筒を立設した円錐筒が連設され、円錐筒と注出筒との接続部に、空気導入管が垂設されていることを特徴とする構成を採用する。
【０００８】
上壁中央部の具体的構成として、キャップ基体の上壁中央に開口が設けられ、該開口の周縁に沿って中栓内周に嵌合する嵌合筒が垂設され、円錐筒が前記開口を被うよう連設されていることを特徴とする構成を採用する。
【発明の効果】
【０００９】
オーバーキャップの小径の注出筒内の一隅に、空気導入管を形成したことにより、当該オーバーキャップを被着した容器を、粘性が異なる内容液においても兼用することができる。
【発明を実施するための最良の形態】
【００１０】
次に、本発明の液注出容器について、図面を参照して説明する。
図１、２において、Ａは容器、Ｂは容器Ａに打栓された中栓、Ｃは容器Ａに取着されたオーバーキャップである。
【００１１】
容器Ａは、合成樹脂により成形された容器であり、口筒部１と、肩部２と、胴部３と、底部４とから構成されている。
容器Ａの口筒部１上端外周には、嵌合突条５とネックリング６が突設されている。
肩部２と胴部３の横断面は、角部を円弧とした角形であり、肩部２の下方部２ａは、傾斜が大きくなっており、その下端には、全周にわたる嵌合凹部７が形成されている。
【００１２】
中栓Ｂは、容器Ａの口筒部１外周に嵌合する外筒８と、容器Ａの口筒部１内周に嵌合する内筒９および環状の上壁１０を備えており、外筒８の内側下端部には、中栓Ｂを容器Ａの口筒部１に打栓した際に、口筒部１の嵌合突条５と嵌合する係止突条１１が突設されている。
【００１３】
内筒９は、容器口筒部１内周に嵌挿され、その下端には、隔壁１２が連設されている。
隔壁１２には、一定形状の切断溝１３が刻設され、その内側は、内容液の流出口を形成する除去部１４となっており、除去部１４の上面には、連結片を介して引張りリング１５が連設されている。
【００１４】
オーバーキャップＣは、キャップ基体Ｃ１と、該キャップ基体Ｃ１にヒンジによって取着された開閉蓋Ｃ２とから構成されている。
キャップ基体Ｃ１は、角形の上壁２０と、該上壁２０の周縁に連設された側周壁２１とからなっている。
上壁２０の中央部には、開口２２が形成され、その周縁から前記中栓Ｂの内筒９の内周面に嵌合する嵌合筒２３が垂設されている。
【００１５】
上壁２０の上面には、開口２２を被って上方に延びる円錐筒２４が設けられ、該円錐筒２４の中央上端には、注出筒２５が立設されている。
注出筒２５の上端は、注出口となっており、周縁には、注出口唇部２６が形成されている。
円錐筒２４と注出筒２５の接続部には、空気導入管２７が垂下されている。
側周壁２１の下端には、前記容器Ａに形成された嵌合凹部７と嵌合する係止突条２８が設けられている。
【００１６】
上壁２０の一端縁には、ヒンジ２９が設けられており、ヒンジ２９の反対側の上壁２０の端縁には、係止凹部３０が設けられている。
【００１７】
開閉蓋Ｃ２は、頂壁３１と側壁３２とからなり、一つの側壁３２は、ヒンジ２９に連設されている。
頂壁３１の裏面中央部には、前記注出筒２５内面に嵌合し、その注出口を密封する栓体３３が設けられている。
ヒンジ２９の反対側の側壁３２には、上壁２０の係止凹部３０に係合するつまみ３４が配設されている。
【００１８】
次に、本実施例の容器の使用態様と作用効果について説明する。
本容器Ａには、内容液として、とんかつソースまたは中濃ソース、或いはウスターソース等の液体調味料等が充填される。
内容液の充填後に中栓Ｂが、打栓により、容器Ａの口筒部１に嵌着される。
【００１９】
中栓Ｂを容器Ａの口筒部１に打栓した後、オーバーキャップＣの嵌合筒２３を中栓Ｂの内筒９の内側に嵌合させるとともに、側周壁２１の下端部に形成された係止突条２８を、容器Ａに形成された嵌合凹部７に嵌着する。
【００２０】
容器Ａの開封にあたっては、まず、容器ＡからオーバーキャップＣをはずした後に、中栓Ｂに形成された引張りリング１５に指をかけて上方に引張り上げ、図２に示すように、隔壁１２から除去部１４を切取って、内容液の流出口を開口する。
その後、再度、オーバーキャップＣを容器Ａに被着して、容器Ａの開封が完了する。
【００２１】
内容液の注出にあたって、内容液が高粘性の場合には、胴部３を押圧して注出する。
押圧を解くと、胴部３が復元して注出筒２５の内容液が容器Ａ内に吸引され、液垂れを防ぐことができ、注出後には容器Ａを正立させておく。
【００２２】
内容液が低粘性の場合は、容器Ａを傾けることによって内容液を注出し、元に戻すことによって注出を止める。
注出にあたって、注出筒２５の径が小径であっても、空気導入管２７より空気が導入されるので、注出は容易になっている。
注出を止めたときには、注出筒２５の注出口唇部２６により、液垂れを阻止することができる。  
【産業上の利用可能性】
【００２３】
オーバーキャップの注出筒内の一隅に空気導入管を形成したことにより、該オーバーキャップを被着した容器を、高粘性内容液用と、低粘性内容液用とに兼用できるようになった。
【図面の簡単な説明】
【００２４】
【図１】本発明の液注出容器の開封前の断面立面図である。
【図２】液注出容器の使用時の断面立面図である。
【符号の説明】
【００２５】
Ａ          容器
Ｂ          中栓
Ｃ          オーバーキャップ
Ｃ１        キャップ基体
Ｃ２        開閉蓋
１          口筒部
２          肩部
３          胴部
５          嵌合突条
７          嵌合凹部
８          外筒
９          内筒
１０        上壁
１１        係止突条
１２        隔壁
２０        上壁
２１        側周壁
２２        開口
２３        嵌合筒
２４        円錐筒
２５        注出筒
２６        注出口唇部
２７        空気導入管
２８        係止突条
２９        ヒンジ
３１        頂壁
３２        側壁
３３        栓体
【図１】
2006036327.tif 000003
【図２】
2006036327.tif 000004